(57)【特許請求の範囲】
【請求項１】
上方の傾斜面に取付孔を有する紙製容器用のプラスチック製の注出具であって、該注出具は、容器の取付孔に取り付けられる注出口と、キャップ本体と該キャップ本体に分離可能な脆弱部を介して一体に設けられたリング体からなるキャップとからなり、キャップを注出口に螺着することにより取り付けられる注出具において、
前記注出口は、筒体と、該筒体の下端に設けた鍔と、脆弱部により開封可能な内部蓋とを有し、該内部蓋にはプルリングが設けられ、該プルリングの指掛け部側は前記筒体の上端からはみ出す程度に湾曲させて形成され、
前記キャップ本体は天板と側壁との間に傾斜壁を設け、該傾斜壁上端から前記側壁にかけて連続した縦溝を周設しており、前記キャップが螺着された状態において、該キャップが前記紙製容器の傾斜面の下端から軸方向下方に延びる容器側面の軸方向延長面から外側に突出しないことを特徴とする紙製容器用の注出具。
【請求項２】
前記リング体の内周面に上方に向けて内方に突出する可撓性の係止片をリング体の内周に向けて回動可能に設けると共に、前記注出口の外周面に前記係止片に対応する係止突起を設けた請求項１記載の紙製容器用の注出具。
【発明の詳細な説明】
【０００１】
【発明の属する技術分野】
本発明は、上方の傾斜面に取付孔を有する紙製容器用の注出具に関するものであって、注出口と、これに螺着する不正開封防止機能を有し、開蓋後も完全閉蓋が出来るキャップとからなり、紙製容器の形状に由来する高さ規制によるキャップの小型化に対応出来るようにした紙製容器用の注出具に関する。
【０００２】
【従来の技術】
飲食物用容器として紙製容器が使用される場合、まず、紙製容器の上部に開けた取付孔に注出口を設け、その注出口にキャップを取り付けて使用され、これら注出口とキャップとがセットで注出具を構成している。そして、この注出具のキャップは、ピルファープルーフ特性、すなわち、紙製容器の内容物の飲食物に対する不正開封防止機能を有し、更に注出口からキャップを外した後も完全にキャップを取り付け密封出来るのが主流となっている。このピルファープルーフ特性を有するキャップは、材質面ではプラスチック又は金属のいずれかも構成出来るが、紙製容器に直接取り付ける注出口はプラスチックの方が取付性に優れているため、その関係からキャップはプラスチック製である。
【０００３】
このようなプラスチック製の紙製容器等の注出具ａは、図９に示すように、注出口ｂと、キャップ本体ｃに開封時に破断する脆弱部ｄを介して連なるリング体ｅを有し注出口ｂにキャップ本体ｃを螺着し且つリング体ｅを装着するキャップｆとからなり、一体とした注出口ｂとキャップｆとを容器ｇの内方側から取付孔ｈに通し、注出口ｂの鍔ｉを取付孔ｈに溶着して、取り付けるものである。
【０００４】
そして、この紙製容器等の注出具ａは、キャップ本体ｃを開方向に回して、脆弱部ｄを破断してリング体ｅから離脱させ、更に回してキャップ本体ｃを注出口ｂから外した後、注出口ｂに内部蓋ｊがある場合はその内部蓋ｊを取り去って、容器ｇの内容物を利用することが出来るものである。そして、容器ｇの内容物が残留している場合は、再び注出口ｂにキャップ本体ｃを取り付ければ、容器ｇ内を密封することが出来る。従って、リング体ｅからキャップ本体ｃを離脱させないと、容器ｇを開封することが出来ず、キャップ本体ｃがリング体ｅから離脱していることは、注出具ａが既に開封していることを示し、これでピルファープルーフ特性を担保している。更に、注出口ｂにキャップｆを取り付ける際、キャップｆを閉方向に回しても、リング体ｅのラチェット係止片ｋが注出口ｂの突起ｌを乗り越えて、脆弱部ｄを破断することなく、キャップ本体ｃと共にリング体ｅが連れ回りし、キャップ本体ｃは注出口ｂに螺着し、リング体ｅは注出口ｂに装着する。
【０００５】
【発明が解決しようとする課題】
しかしながら、上記図９の紙製容器等の注出具ａは、容器ｇの斜め方向に取り付けられているため、積載時の制約から容器ｇの保管上注出具ａがラインＡからはみ出すことはできず、いきおい小型にしなければならない。従って、注出口ｂにキャップｆを取り付ける際、リング体ｅをキャップ本体ｃと共に連れ回りさせるために、小型化しやすいラチェット係止片ｋを採用することになるが、このラチェット係止片ｋは周方向で注出口ｂの６突起ｌと係止するようになっている。また、注出口ｂはプルリングの成形及び開封の際の脆弱部の破断を考慮して、比較的軟質の材料であるポリエチレンが使用されているため、開封に際して、ラチェット係止片ｋが突起ｌからすっぽ抜けて、不正開封防止機能が毀損される虞れがある。
【０００６】
また、この注出具ａが小型とならざるを得ないため、キャップｆも小型となってユーザーがキャップの開閉にスムーズさを欠くことがある。更に、注出口ｂからキャップ本体ｃを取り外した後、内部蓋ｊも小型となり取り去りづらく、手指を用いた開封操作が困難になる虞もある。
【０００７】
そこで、本発明の目的は、上方の傾斜面に注出具の取付孔を有する紙製容器の形状に由来してサイズが規制され小型であっても、キャップの開閉が容易であり、注出口の内部蓋も容易に開封出来、しかもリング体の抜けもない紙製容器等の注出具を提供することにある。
【０００８】
【課題を解決するための手段】
本発明は、上記目的を達成するために提案されたものであって、下記の構成からなることを特徴とするものである。
すなわち、本発明によれば、上方の傾斜面に取付孔を有する紙製容器用のプラスチック製の注出具であって、該注出具は、容器の取付孔に取り付けられる注出口と、キャップ本体と該キャップ本体に分離可能な脆弱部を介して一体に設けられたリング体からなるキャップとからなり、キャップを注出口に螺着することにより取り付けられる注出具において、
前記注出口は、筒体と、該筒体の下端に設けた鍔と、脆弱部により開封可能な内部蓋とを有し、該内部蓋にはプルリングが設けられ、該プルリングの指掛け部側は前記筒体の上端からはみ出す程度に湾曲させて形成され、
前記キャップ本体は天板と側壁との間に傾斜壁を設け、該傾斜壁上端から前記側壁にかけて連続した縦溝を周設しており、前記キャップが螺着された状態において、該キャップが前記紙製容器の傾斜面の下端から軸方向下方に延びる容器側面の軸方向延長面から外側に突出しないことを特徴とする紙製容器用の注出具が提供される。
【０００９】
また、本発明によれば、前記リング体の内周面に上方に向けて内方に突出する可撓性の係止片をリング体の内周に向けて回動可能に設けると共に、前記注出口の外周面に前記係止片に対応する係止突起を設けた上記紙製容器用の注出具が提供される。
【００１１】
【発明の実施の形態】
以下に、図面を参照して本発明の実施の形態を説明する。
図１は本発明の実施形態を示す紙製容器等の注出具の縦断面図である。本発明の注出具は図８に示したように、紙製容器の上方の傾斜面の取付孔に取り付けられるものであって、プラスチックによって成形されている。
図において、紙製容器用の注出具１は、注出口２と、キャップ本体３に開封時に破断させる脆弱部４を介して連なるリング体５を有し注出口２にキャップ本体３を螺着し且つリング体５を装着するキャップ６と、からなり、容器７の取付孔８にこの容器７の内方側から通して取り付けてなり、そのキャップ本体３はその天板９と側壁１０との間に傾斜壁１１を設け、これら傾斜壁１１の上端から側壁１０にかけて連続した縦溝１２が周設されており、この縦溝がキャップの開閉に当たってスベリ止めとして機能すると共に、紙製容器の形状に由来する高さ規制によるキャップ６の小型化に対応したものである。
【００１２】
この紙製容器用の注出具１は、主に紙製の容器に使われるが、更にバッグインボックスにも使用できる。従って、紙製容器やバッグインボックス等の容器７に取り付けるための注出口２が必要となる。この注出口２は、筒体２０の一端に容器７の取付孔８に溶着するための鍔２１を設けてあり、この鍔２１のわずか上方、すなわち容器７の構成材の厚み相当分上方に、取付孔８に溶着する前の注出具１を仮止めする突起２２を設けてある。この突起２２はテーパーが切られ、取付孔８を通し易くしている。更に、筒体２０の外周面に前記キャップ６を螺着するためのネジ山２３があり、このネジ山２３と突起２２との間には後述する環状係止突起２４がある。注出口２は脆弱部２５により開封可能なプルリング２６付きの内部蓋２７を有し、このプルリング２６の指掛け部２８側を注出口２の注出方向に湾曲させている。
【００１３】
この湾曲の程度は、図２に示すように、プラスチックの特性を生かして筒体２０の上端からはみ出す程度が良く、このようにして指掛け部２８に指を掛け易くしている。更に、指掛け部２８の内面に線条のスベリ止め２８ａを設けているから、指掛け部２８の内面に指を掛け易い上に、スベリ止め２８ａにより指の引く力が滑らずにプルリング２６に伝達され、脆弱部２５を破断して内部蓋２７を容易に取り除ける。なお、脆弱部２５の形状は、図４に示すように、プルリング２６に伝達された力が最初に掛かる部分をＶ字状２５ａにして、脆弱部２５を破断し易くしている。
【００１４】
前記キャップ６は、前述のように、キャップ本体３に分離可能な脆弱部４を介してリング体５が連なり一体になっている。キャップ本体３の内周面には前記注出口２の筒体２０のネジ山２３に対応するネジ山３０が形成されている。キャップ本体３のリング体５側の端面にストッパー３１があり、このストッパー３１に対応するストッパー３２がリング体５にもあり注出口２の筒体２０にキャップ６をねじ込み装着する際、これらストッパー３１，３２同士を当接させて、脆弱部４を破断させないようにしている。
【００１５】
前記リング体５は、キャップ本体３側の端部全周にわたり、複数の係止片、図７の例では、８個の上方に向けて突出する可撓性の係止片４０をこのリング体５の内側に向けて回動可能に設けてある。従って、前記注出口２の筒体２０にキャップ６をねじ込み装着する過程で、リング体５の係止片４０の先端が外方に変形し、筒体２０の環状係止突起２４を一旦越えると復元して、係止片４０が係止突起２４に係止可能となり、キャップ本体３を筒体２０から外す際に脆弱部４が破断されずにキャップ６が外れることはない。すなわち、この上方に向けて内方に突出する可撓性の係止片４０はリング体５の軸方向への係止強度が強くリング体５の抜け防止には好都合である。この際、従来例のようにこの係止片４０がラチェット係止片ｋであると、ラチェット係止片ｋ及び突起ｌを大きくは取れず、さらに材質が軟質のポリエチレンであるため開封に際して脆弱部４が破断されずにキャップｆが外れる虞れがある。
【００１６】
上記したように、筒体２０からのリング体５の抜け防止のために、あえてラチェット片ｋを採用せず、軸方向に係止するため若干リング体５が高くなる係止片４０としたため、その分キャップ本体３の高さ寸法を低くする必要がある。また、容器７が図８のような紙製容器であり、その上部に注出具１が斜めに設置している場合など、容器側面からのラインＡからキャップ６が外側に出ることは、これらの紙製容器の保管や運搬上許されない。従って、このような状況から、キャップ本体３は高さ寸法を低くし、更に天板と側壁との間に傾斜壁を設け、全体として円錐台形にすることで対応した。このようにすると、キャップ本体３の高さが低い分持ちづらく開封しづらくなるため、キャップ本体３の側壁１０及び傾斜壁１１にスベリ止め１２を設けて、これらを解消している。なお、キャップ本体３を全体として円錐台形にしたことにより、容器７の取付孔８にスムーズに通すことができる。
【００１７】
なお、このようにキャップ本体３を小型にしたために、内部蓋２７を取り去るプルリング２６も小さくなるから、指を掛けづらくなり、指掛け部２８側を注出口２の注出方向に湾曲させることで、これに対処している。
また、注出口２及びキャップ６の材質はプラスチックであり、注出口２はプルリングの成形及び開封の際の脆弱部の破断を考慮して、比較的軟質の材料であるポリエチレンであることが好ましい。キャップ６はポリオレフィン系であることが好ましいが、他のプラスチックでも良い。
【００１８】
次に、上記構成になる紙製容器用の注出具１の機能について説明する。
まず、紙製の容器７を選択し、この容器７の上方傾斜面に形成された取付孔８に適合する注出口２及びキャップ６を選択して、注出口２にキャップ６を螺合し、リング体５の係止片４０が筒体２０の係止突起２４を越えるまで行い螺着して一体にし注出具１とする。その一方で、容器７を組み立て、その取付孔８に注出具１を内方から通して行き、突起２２を越えて注出具１を取付孔８に仮止めする。この際、キャップ本体３が円錐台形であり突起２２も上面がテーパーとなっているから、注出具１を取付孔８に容易に通すことが出来る。この仮止め状態で取付孔８のラミネート部分にキャップ６の鍔２１を高周波により溶着する。
【００１９】
この状態の容器７に内容物を充填して密封して、最終製品とする。この最終製品が、最終ユーザーに渡り消費される。最終ユーザーは、消費に際して、まずキャップ本体３の傾斜壁１１上端から側壁１０にかけて連続して周設された縦溝１２に手指をかけ、開方向に回すことになる。この縦溝１２によりキャップ本体３を開方向にスムーズに回すことができ、脆弱部４を破断させリング体５を筒体２０に残したまま、キャップ本体３を外すことが出来る。その後プルリング２６の指掛け部２８の内面にあるスベリ止め２８ａに指を掛けて引っ張れば、内部蓋２７を容易に取り去ることが出来る。容器７の内容物を利用し、内容物を利用しきらない場合に再び注出口２の筒体２０にキャップ本体３を螺着し、容器７を密封できる。
【００２０】
以上、本発明の実施形態を説明したが、具体的な構成はこれに限定されるものではない。
【００２１】
【発明の効果】
以上詳述したように、本発明によれば、キャップ本体の傾斜壁上端から側壁にかけて連続して周設した縦溝のスベリ止め機能を利用してキャップの開閉を容易にするとともに、この際、脆弱部を破断してリング体から離脱させ、更にキャップ本体を注出口から外し、容器の内容物を利用状態にすることができる。また、キャップの閉蓋においては、再び傾斜壁上端から側壁にかけて連続して周設された縦溝のスベリ止め機能を利用し、キャップ本体を注出口に螺着して容器を密封する。
従って、上方傾斜面に形成した取付孔に注出具を取り付けるようになっている紙製容器の形状に由来してキャップ本体のサイズが規制され小型になっても、キャップ本体を小型にした分リング体を高くすることが出来、そのため、上方に向けて内方に突出する可撓性の係止片をリング体に設けることが可能になり、開封の際に、脆弱部を破断することなくキャップが外れることをなくすことが出来る効果がある。
【００２２】
また、本発明によれば、上記のようにキャップ本体を注出口から外した後、プルリングの指掛け部側が注出口の注出方向に筒状体の端部からはみ出す程度に湾曲しているから、その指掛け部に指を直ちに掛け得て引くことにより脆弱部を破断して内部蓋を取り除くことができ、キャップを小型にしても支障なく指掛け部に指を掛けることが出来、内部蓋を容易に取り除くことが出来る効果がある。
さらに、注出口にキャップを装着する過程で、係止片が係止突起を一旦乗り越えると、以後係止片が係止突起に当たりリング体が抜けることがなくなるので、リング体の抜けの要因を確実に無くすことが出来る効果がある。
【図面の簡単な説明】
【図１】  本発明の実施形態を示す紙製容器用の注出具の縦断面図である。
【図２】  本発明の実施形態を示す紙製容器用の注出具の一構成要素の注出口の縦断面図である。
【図３】  本発明の実施形態を示す紙製容器用の注出具の一構成要素の注出口の平面図である。
【図４】  本発明の実施形態を示す紙製容器用の注出具の一構成要素の注出口の裏面図である。
【図５】  本発明の実施形態を示す紙製容器用の注出具の一構成要素のキャップを半裁断面した側面図である。
【図６】  本発明の実施形態を示す紙製容器用の注出具の一構成要素のキャップの平面図である。
【図７】  本発明の実施形態を示す紙製容器用の注出具の一構成要素のキャップの裏面図である。
【図８】  本発明の実施形態を示す紙製容器用の注出具の使用状態の一部縦断面図である。
【図９】  従来例の使用状態を示す一部縦断面図である。
【図１】
0004454202.tif 000002
【図２】
0004454202.tif 000003
【図３】
0004454202.tif 000004
【図４】
0004454202.tif 000005
【図５】
0004454202.tif 000006
【図６】
0004454202.tif 000007
【図７】
0004454202.tif 000008
【図８】
0004454202.tif 000009
【図９】
0004454202.tif 000010